(57)【要約】本発明はマルチモード受信機を開示する。当該マルチモード受信機は、基地局から送信された信号を受信し、そして信号の周波数バンドに応じて受信回路フロントエンドを選択するように構成されるアンテナシステムと、アンテナシステムから送信された信号に対して周波数変換処理を行い、そして処理後の信号をＩ／Ｑ復調器に送信するように構成される１つ以上の受信回路フロントエンドと、受信回路フロントエンドから送信された信号を復調し、そして復調後の信号をベースバンドユニットに送信するように構成されるＩ／Ｑ復調器と、復調後の信号をデコーディングするように構成されるベースバンドユニットとを含む。本発明はマルチモード受信機の受信方法を開示し、本発明によれば、同一周波数バンドの異なるモードの信号がワンセットの受信回路フロントエンドを利用でき、無線周波数チップの数量を減らし、コストを削減する。
2015533463.tif 000002
【特許請求の範囲】
【請求項１】
マルチモード受信機であって、アンテナシステム、１つ以上の受信回路フロントエンド、Ｉ／Ｑ復調器、及びベースバンドユニットを含み、
前記アンテナシステムは、基地局から送信された信号を受信し、信号の周波数バンドに応じて対応する受信回路フロントエンドに信号を送信するように構成され、
前記受信回路フロントエンドは、アンテナシステムから送信された信号を受信し、そして信号に対して周波数変換処理を行い、処理後の信号をＩ／Ｑ復調器に送信するように構成され、
前記Ｉ／Ｑ復調器は、回路フロントエンドから送信された信号を受信し、信号を復調し、そして復調された信号をベースバンドユニットに送信するように構成され、
前記ベースバンドユニットは、復調された信号をデコードするように構成される、前記マルチモード受信機。
【請求項２】
前記マルチモード受信機は、プロトコル検出装置をさらに含み、
前記アンテナシステムは、さらに、信号を前記プロトコル検出装置に送信して検出するように構成され、
前記プロトコル検出装置は、前記アンテナシステムから送信された信号を受信し、そして信号基地局側の同期情報に応じて、復調後の信号のために伝送モードとデコードモードを選択するように構成され、
前記Ｉ／Ｑ復調器は、さらに、前記プロトコル検出装置の伝送モードに応じて、復調後の信号を前記ベースバンドユニットに送信するように構成され、
前記ベースバンドユニットは、前記プロトコル検出装置のデコードモードに応じて復調後の信号に対してデコードを行うように構成されることを特徴とする
請求項１に記載のマルチモード受信機。
【請求項３】
前記アンテナシステムは、アンテナ、アンテナスイッチを含み、
前記アンテナは、基地局信号を受信し、そして信号を前記アンテナスイッチに送信するように構成され、
前記アンテナスイッチは、前記アンテナから送信された信号を受信し、信号の周波数バンドに応じて対応する受信回路フロントエンドを選択して信号を処理し、そして基地局信号を前記プロトコル検出装置に送信して信号検出を行うように構成されることを特徴とする
請求項２に記載のマルチモード受信機。
【請求項４】
前記受信回路フロントエンドは、第１受信回路フロントエンド、第２受信回路フロントエンド、及び第３受信回路フロントエンドを含み、
前記第１受信回路フロントエンドは、アンテナシステムから送信された第１周波数バンド信号を受信し、そして信号に対してダウンコンバージョン処理を行い、処理後の信号をＩ／Ｑ復調器に送信するように構成され、
前記第２受信回路フロントエンドは、アンテナシステムから送信された第２周波数バンド信号を受信し、そして信号に対してダウンコンバージョン処理を行い、処理後の信号をＩ／Ｑ復調器に送信するように構成され、
前記第３受信回路フロントエンドは、アンテナシステムから送信された第３周波数バンド信号を受信し、そして信号に対してダウンコンバージョン処理を行い、処理後の信号をＩ／Ｑ復調器に送信するように構成されることを特徴とする
請求項１、２または３に記載のマルチモード受信機。
【請求項５】
前記第１周波数バンド信号、前記第２周波数バンド信号、及び前記第３周波数バンド信号は、それぞれ３グループの同一周波数バンドの異なるモードの信号であり、且つ３グループの周波数バンドが異なることを特徴とする
請求項４に記載のマルチモード受信機。
【請求項６】
マルチモード受信機の受信方法であって、
受信された、基地局から送信された信号の周波数バンドに応じて、対応する受信回路フロントエンドを選択して信号の周波数変換処理を行うステップと
周波数変換後の信号に対してＩ／Ｑ復調を行い、復調後の信号に対してデコード処理を行うステップと、を含む、前記マルチモード受信機の受信方法。
【請求項７】
前記信号に対する周波数変換処理は、フィルタ、増幅、ダウンコンバージョン、中間周波数（ＩＦ）フィルタ、ＩＦ増幅を含むことを特徴とする
請求項６に記載の方法。
【請求項８】
前記方法は、基地局信号に対して信号検出を行うステップをさらに含むことを特徴とする
請求項６または７に記載の方法。
【請求項９】
前記信号検出は、信号基地局側の同期情報に応じて、復調後のＩ／Ｑ信号のために伝送モードとデコードモードを選択することを含み、
前記復調後の信号に対するデコード処理は、選択されたデコードモードを用いて、復調後の信号に対してデコード処理を行うことであることを特徴とする
請求項８に記載の方法。
【請求項１０】
前記伝送モードとデコードモードは、それぞれ、
モバイル通信のグローバルシステム（ＧＳＭ）信号のために、デジタル無線周波数（ＤｉｇＲＦ：Ｄｉｇｉｔａｌ  Ｒａｄｉｏ  Ｆｒｅｑｕｅｎｃｙ）インターフェスプロトコルの伝送モードを自動的にマッチングさせ、時分割同期符号分割多元接続（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）信号のために、１０ビット（ｂｉｔ）の並列データの伝送モードを自動的にマッチングさせ、時分割ロングタームエボリューション（ＴＤ−ＬＴＥ：Ｔｉｍｅ  Ｄｉｖｉｓｉｏｎ  Ｌｏｎｇ  Ｔｅｒｍ  Ｅｖｏｌｕｔｉｏｎ）信号のために、１２ｂｉｔの並列データの伝送モードを自動的にマッチングさせ、
ＧＳＭ信号、ＴＤ−ＳＣＤＭＡ信号、ＴＤ−ＬＴＥ信号のために、対応するデータ処理ユニットを選択してデコードを行うことを特徴とする
請求項９に記載の方法。
【発明の詳細な説明】
【技術分野】
【０００１】
本発明はマルチモード受信分野に関し、特にマルチモード受信機及びその受信方法に関する。
【背景技術】
【０００２】
回路集積技術の急速な発展に伴い、無線周波数（ＲＦ）回路も集積化、モジュール化する傾向があり、これは、小型化モバイル端末の開発、応用に対して特に有利である。現在、モバイル端末が、例えば、携帯電話のＲＦ回路、ＲＦ集積回路を中心として外部補助、コントロール回路を組み合わせて構成されている。ＲＦ集積回路は、モバイル端末ＲＦ回路の主要部分であり、信号受信回路と信号送信回路を含む。ここで、信号受信回路が、アンテナ、ＳＡＷフィルタ（ＳＡＷ：Ｓｕｒｆａｃｅ  Ａｃｏｕｓｔｉｃ  Ｗａｖｅ）、低雑音増幅器（ＬＮＡ：Ｌｏｗ  Ｎｏｉｓｅ  Ａｍｐｌｉｆｉｅｒ）、ミキサー、中間周波数（ＩＦ）フィルタ、およびＩＦ増幅器などを含む。
【０００３】
モバイル端末が信号を受信する時、セルラー基地局から送信された信号は、例えば、モバイル通信のグローバルシステム（ＧＳＭ（登録商標）：Ｇｌｏｂａｌ  Ｓｙｓｔｅｍ  ｏｆ  Ｍｏｂｉｌｅ  ｃｏｍｍｕｎｉｃａｔｉｏｎ）９００ＭＨｚ、無線インターフェスを介してモバイル端末のアンテナ側に伝送され、信号がアンテナを通した後ＳＡＷ中に入り、バンド幅以外の信号及び雑音を濾過し、濾過後の信号がＬＮＡ中に入って信号増幅を行い、ＬＮＡ増幅後の信号がミキサーの中に送信され、ここで電圧制御発振器（ＶＣＯ：Ｖｏｌｔａｇｅ  Ｃｏｎｔｒｏｌｌｅｄ  Ｏｓｃｉｌｌａｔｏｒ）により出力されたローカル発振（ＬＯ：Ｌｏｃａｌ  Ｏｓｃｉｌｌａｔｏｒ）信号と周波数混合を行い、ＩＦ信号を生成し、このＩＦ信号がＩＦフィルタを通して、バンド外雑音を濾過し、再び、濾過後のＩＦ信号をＩＦ増幅器に送信して増幅を行う。その後、出力信号がＩ／Ｑ復調器に入って復調を行い、復調されたＩ／Ｑ信号がベースバンドに送信されてデジタル処理を行う。
【０００４】
従来技術において、モバイル端末受信機が周波数バンドの異なる信号を受信するために、例えば、ＧＳＭ  ９００ＭＨｚとＧＳＭ  １８００ＭＨｚ、各周波数バンド信号のためにそれぞれ受信回路を設計し、これら並列の受信回路を１つの総集積回路に集積させる。それ以外に、アンテナのバック側にアンテナスイッチが加えられ、受信された信号を周波数バンドの違いによって別々にこの周波数バンドに対応する受信回路に送信することを担当する。これに基づき、モバイル端末受信機が異なるモードの信号を受信するために、例えば、ＧＳＭ  ８００ＭＨｚ／１９００ＭＨｚと時分割同期符号分割多元接続（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）１８８０ＭＨｚ−１９２０ＭＨｚ、各モードの信号のために別々に受信回路を設計する。
【０００５】
ＲＦ回路がＴＤＭ技術を利用するため、受信と送信が同時に稼働せず、同一周波数バンドの異なるモードの信号の受信回路フロントエンドが完全に同等である。このように、同一周波数バンドの異なるモードの信号に対して、集積回路内部の受信回路フロントエンドが繰り返し使用されることで、集積回路中に複数の同等ＲＦチップがあることを引き起こし、回路設計面積を増やし、コストも増やす。
【発明の概要】
【発明が解決しようとする課題】
【０００６】
これを鑑みて、本発明実施形態の主な目的は、モバイル端末の受信回路フロントエンドを簡素化し、さらに、チップ数を減らし、回路設計面積を低減し、コストを削減するために、マルチモード受信機及びその受信方法を提供することにある。
【課題を解決するための手段】
【０００７】
前記目的を実現するために、本発明実施形態の技術的解決手段は、次のように実現される。
【０００８】
本発明実施形態はマルチモード受信機を提供し、当該マルチモード受信機は、アンテナシステム、１つ以上の受信回路フロントエンド、Ｉ／Ｑ復調器、及びベースバンドユニットを含み、
前記アンテナシステムは、基地局から送信された信号を受信し、信号の周波数バンドに応じて対応する受信回路フロントエンドに信号を送信するように構成され、
前記受信回路フロントエンドは、アンテナシステムから送信された信号を受信し、そして信号に対して周波数変換処理を行い、処理後の信号をＩ／Ｑ復調器に送信するように構成され、
前記Ｉ／Ｑ復調器は、回路フロントエンドから送信された信号を受信し、信号を復調し、そして復調された信号をベースバンドユニットに送信するように構成され、
前記ベースバンドユニットは、復調された信号をデコードするように構成される。
【０００９】
上記技術的解決手段において、前記マルチモード受信機は、プロトコル検出装置をさらに含み、
前記アンテナシステムは、さらに、信号をプロトコル検出装置に送信して検出するように構成され、
前記プロトコル検出装置は、前記アンテナシステムから送信された信号を受信し、そして信号基地局側の同期情報に応じて、復調後の信号のために伝送モードとデコードモードを選択するように構成され、
前記Ｉ／Ｑ復調器は、さらに、前記プロトコル検出装置の伝送モードに応じて、復調後の信号を前記ベースバンドユニットに送信するように構成され、
前記ベースバンドユニットは、前記プロトコル検出装置のデコードモードに応じて復調後の信号に対してデコードを行うように構成される。
【００１０】
上記技術的解決手段において、前記アンテナシステムは、アンテナ、アンテナスイッチを含み、
前記アンテナは、基地局信号を受信し、そして信号を前記アンテナスイッチに送信するように構成され、
前記アンテナスイッチは、前記アンテナから送信された信号を受信し、信号の周波数バンドに応じて対応する受信回路フロントエンドを選択して信号を処理し、そして基地局信号を前記プロトコル検出装置に送信して信号検出を行うように構成される。
【００１１】
上記技術的解決手段において、前記受信回路フロントエンドは、第１受信回路フロントエンド、第２受信回路フロントエンド、及び第３受信回路フロントエンドを含み、
前記第１受信回路フロントエンドは、アンテナシステムから送信された第１周波数バンド信号を受信し、そして信号に対してダウンコンバージョン処理を行い、処理後の信号をＩ／Ｑ復調器に送信するように構成され、
前記第２受信回路フロントエンドは、アンテナシステムから送信された第２周波数バンド信号を受信し、そして信号に対してダウンコンバージョン処理を行い、処理後の信号をＩ／Ｑ復調器に送信するように構成され、
前記第３受信回路フロントエンドは、アンテナシステムから送信された第３周波数バンド信号を受信し、そして信号に対してダウンコンバージョン処理を行い、処理後の信号をＩ／Ｑ復調器に送信するように構成される。
【００１２】
上記技術的解決手段において、前記第１周波数バンド信号、前記第２周波数バンド信号、及び前記第３周波数バンド信号は、それぞれ３グループの同一周波数バンドの異なるモードの信号であり、且つ３グループの周波数バンドが異なる。
本発明実施形態は、マルチモード受信機受信方法を提供し、当該方法は、
受信された、基地局から送信された信号の周波数バンドに応じて、対応する受信回路フロントエンドを選択して信号の周波数変換処理を行うステップと
周波数変換後の信号に対してＩ／Ｑ復調を行い、復調後の信号に対してデコード処理を行うステップと、を含む。
【００１３】
上記技術的解決手段において、前記信号に対する周波数変換処理は、フィルタ、増幅、ダウンコンバージョン、中間周波数（ＩＦ）フィルタ、ＩＦ増幅を含む。
【００１４】
上記技術的解決手段において、当該方法は、基地局信号に対して信号検出を行うステップをさらに含む。
【００１５】
上記技術的解決手段において、前記信号検出は、信号基地局側の同期情報に応じて、復調後のＩ／Ｑ信号のために伝送モードとデコードモードを選択することを含み、
前記復調後の信号のデコード処理は、選択されたデコードモードを用いて復調後の信号に対してデコード処理を行うことである。
【００１６】
上記技術的解決手段において、前記伝送モードとデコードモードは、それぞれ、
モバイル通信のグローバルシステム（ＧＳＭ）信号のために、デジタル無線周波数（ＤｉｇＲＦ：Ｄｉｇｉｔａｌ  Ｒａｄｉｏ  Ｆｒｅｑｕｅｎｃｙ）インターフェスプロトコルの伝送モードを自動的にマッチングさせ、時分割同期符号分割多元接続（ＴＤ−ＳＣＤＭＡ）信号のために、１０ビット（ｂｉｔ）の並列データの伝送モードを自動的にマッチングさせ、時分割ロングタームエボリューション（ＴＤ−ＬＴＥ：Ｔｉｍｅ  Ｄｉｖｉｓｉｏｎ  Ｌｏｎｇ  Ｔｅｒｍ  Ｅｖｏｌｕｔｉｏｎ）信号のために、１２ｂｉｔの並列データの伝送モードを自動的にマッチングさせ、
ＧＳＭ信号、ＴＤ−ＳＣＤＭＡ信号、ＴＤ−ＬＴＥ信号のために、対応するデータ処理ユニットを選択してデコードを行うことである。
【発明の効果】
【００１７】
本発明実施形態が提供するマルチモード受信機及びその受信方法は、アンテナスイッチをマルチモード受信機中に内蔵し、異なる周波数バンドの信号に応じて、それに対応する受信回路フロントエンドを選択でき、プロトコル検出装置をマルチモード受信機に内蔵し、同一周波数バンド信号のモードを検出でき、それによって、Ｉ／Ｑ復調後の信号のために、対応する伝送モードを提供し、ベースバンドに伝送されたＩ／Ｑ信号のために、対応するデコード処理ユニットを提供し、このように、同一周波数バンドの異なるモードの信号に対して、同一ワンセットの受信回路フロントエンドを利用でき、それによってＲＦチップの数量を減らし、回路設計面積を低減し、コストも削減する。
【図面の簡単な説明】
【００１８】
【図１】図１は、本発明実施形態のマルチモード受信機の構成構造を示す図である。
【図２】図２は、本発明実施形態のマルチモード受信機が受信方法を実現するフローチャートである。
【発明を実施するための形態】
【００１９】
本発明実施形態の特徴と技術内容をより詳しく了解するために、以下は、図面を組み合わせながら、本発明実施形態の実現に対して詳細な説明を行い、添付される図面は、参考説明に提供されるだけで、本発明実施形態を限定するものではない。
【００２０】
図１は本発明実施形態のマルチモード受信機の構成構造を示す図であり、図１に示すように、該マルチモード受信機は、アンテナシステム１１、１つ以上の受信回路フロントエンド１２、Ｉ／Ｑ復調器１４、及びベースバンドユニット１５を含み、
前記アンテナシステム１１は、基地局から送信された信号を受信し、信号の周波数バンドに応じて対応する受信回路フロントエンド１２に信号を送信するように構成される。
【００２１】
ここで、前記基地局から送信された信号は、異なるモードの信号であってよく、例えば、ＧＳＭ信号、ＴＤ−ＳＣＤＭＡ信号、ＴＤ−ＬＴＥ信号など。
【００２２】
好ましくは、前記異なるモードの信号における任意１つモードの信号が異なる周波数バンドの信号を有する可能であり、例えば、ＧＳＭ信号が、ＧＳＭ  ８５０ＭＨｚ／９００ＭＨｚ、ＧＳＭ  １８００ＭＨｚ／１９００ＭＨｚなどを含み、ＴＤ−ＳＣＤＭＡ信号が、ＴＤ−ＳＣＤＭＡ  １８８０ＭＨｚ−１９２０ＭＨｚ、ＴＤ−ＳＣＤＭＡ  ２３００ＭＨｚ  −２４００ＭＨｚなどを含み、ＴＤ−ＬＴＥ信号が、ＴＤ−ＬＴＥ  １８８０ＭＨｚ−１９２０ＭＨｚ、ＴＤ−ＬＴＥ  ２３００ＭＨｚ−２４００ＭＨｚなどを含む。
【００２３】
ここで、前記信号の周波数バンドに応じて選択することは、具体的に、
同じまたは近い周波数バンドの信号が、同一受信回路フロントエンド１２を選択し、例えば、ＧＳＭ  １８００ＭＨｚ／１９００ＭＨｚ、ＴＤ−ＳＣＤＭＡ  １８８０ＭＨｚ−  １９２０ＭＨｚ、ＴＤ−ＬＴＥ  １８８０ＭＨｚ−１９２０ＭＨｚが、同一受信回路フロントエンド１２を採用し、ＴＤ−ＳＣＤＭＡ  ２３００ＭＨｚ−２４００ＭＨｚとＴＤ−ＬＴＥ  ２３００ＭＨｚ−２４００ＭＨｚが、同一受信回路フロントエンド１２を採用し、ＧＳＭ  ８５０ＭＨｚ／９００ＭＨｚが、同一受信回路フロントエンド１２を採用することである。
【００２４】
前記受信回路フロントエンド１２は、アンテナシステム１１から送信された信号を受信し、そして信号に対して周波数変換処理を行い、処理後の信号をＩ／Ｑ復調器１４に送信してＩ／Ｑ復調を行うように構成される。
【００２５】
ここで、前記信号に対する周波数変換処理は、フィルタ、増幅、ダウンコンバージョン、ＩＦフィルタ、ＩＦ増幅を含む。
【００２６】
具体的に、前記フィルタは、バンド外信号を濾過することであり、前記増幅は、濾過後の信号を増幅することであり、前記ダウンコンバージョンは、増幅後の信号をＩＦ信号にミキシングすることであり、前記ＩＦフィルタは、ＩＦ信号のバンド外信号を濾過することであり、前記ＩＦ増幅は、濾過後のＩＦ信号を増幅することである。
【００２７】
前記Ｉ／Ｑ復調器１４は、回路フロントエンド１２から送信されたダウンコンバージョン信号を受信し、この信号に対してＩ／Ｑ復調を行い、そして復調後のＩ／Ｑ信号をベースバンドユニット１５に送信して処理するように構成される。
【００２８】
前記ベースバンドユニット１５は、Ｉ／Ｑ復調器１４から送信されたＩ／Ｑ信号をデコードするように構成される。
【００２９】
好ましくは、該マルチモード受信器は、さらに、アンテナシステム１１から送信された基地局信号を受信し、そして信号基地局側の同期情報に応じて、復調後のＩ／Ｑ信号のために伝送モードとデコードモードを選択するように構成されるプロトコル検出装置１３を含む。
【００３０】
ここで、前記基地局側の同期情報は、パイロット信号、モジュレーション、ダウンリンク同期コードなどを含む。
【００３１】
ここで、前記復調後のＩ／Ｑ信号のために伝送モードを選択するのは、具体的に、同期情報が、例えば、ガウスフィルタ付き最小シフトキーイング（ＧＭＳＫ：Ｇａｕｓｓｉａｎ  Ｆｉｌｔｅｒｅｄ  Ｍｉｎｉｍｕｍ  Ｓｈｉｆｔ  Ｋｅｙｉｎｇ）モジュレーション、基地局信号がＧＳＭ信号であると表示する場合、Ｉ／Ｑ復調器１４にＤｉｇＲＦインターフェスプロトコルの伝送モードを自動的にマッチングさせ、復調後のＩ／Ｑ信号をベースバンドユニット１５に伝送して処理することであり、同期情報が、例えば、ダウンリンク同期コード、基地局信号がＴＤ−ＳＣＤＭＡ信号であると表示する場合、Ｉ／Ｑ復調器１４に１０ｂｉｔの並列データ伝送モードを自動的にマッチングさせ、復調後のＩ／Ｑ信号をベースバンドユニット１５に伝送して処理することであり、同期情報が、例えば、ダウンリンク同期コード、基地局信号がＴＤ−ＬＴＥ信号であると表示する場合、Ｉ／Ｑ復調器１４に１２ｂｉｔの並列データ伝送モードを自動的にマッチングさせ、復調後のＩ／Ｑ信号をベースバンドユニット１５に伝送して処理することである。
【００３２】
好ましくは、前記復調後のＩ／Ｑ信号のために、デコードモードを選択するのは、具体的に、信号モードに応じて、ベースバンドユニット１５中から対応する縮小命令セットコンピューター（ＲＩＳＣ：Ｒｅｄｕｃｅｄ  Ｉｎｓｔｒｕｃｔｉｏｎ  Ｓｅｔ  Ｃｏｍｐｕｔｅｒ）プロセッサー、デジタル信号処理（ＤＳＰ：Ｄｉｇｉｔａｌ  Ｓｉｇｎａｌ  Ｐｒｏｃｅｓｓｉｎｇ）などデータ処理ユニットを選択してデコード処理を行うことである。
【００３３】
相応的に、前記アンテナシステムは、さらに、信号をプロトコル検出装置に送信して検出するように構成される。
【００３４】
前記Ｉ／Ｑ復調器は、プロトコル検出装置の伝送モードに応じて、復調後の信号をベースバンドユニットに送信する。前記伝送モードは、ＧＳＭ信号のために、ＤｉｇＲＦインターフェスプロトコルの伝送モードを自動的にマッチングさせ、ＴＤ−ＳＣＤＭＡ信号のために、１０ｂｉｔの並列データ伝送モードを自動的にマッチングさせ、ＴＤ−ＬＴＥ信号のために、１２ｂｉｔの並列データ伝送モードを自動的にマッチングさせることである。
【００３５】
前記ベースバンドユニットは、プロトコル検出装置のデコードモードに応じて復調後の信号に対してデコードを行う。前記デコードは、信号モードに応じて、ベースバンドユニット１５中から、対応するＲＩＳＣプロセッサー、ＤＳＰなどデータ処理ユニットを選択してデコード処理を行うことである。
【００３６】
前記アンテナシステム１１は、アンテナ１１１、アンテナスイッチ１１２を含む。
前記アンテナ１１１は、基地局信号を受信し、そして信号をアンテナスイッチ１１２に送信して対応する受信回路フロントエンド１２を選択するように構成される。
ここで、前記基地局から送信された信号は、異なるモードの信号であってよく、例えば、ＧＳＭ信号、ＴＤ−ＳＣＤＭＡ信号、ＴＤ−ＬＴＥ信号など。
【００３７】
好ましくは、前記異なるモードの信号における任意１つモードの信号が異なる周波数バンドの信号を有する可能であり、例えば、ＧＳＭ信号が、ＧＳＭ  ８５０ＭＨｚ／９００ＭＨｚ、ＧＳＭ  １８００ＭＨｚ／１９００ＭＨｚなどを含み、ＴＤ−ＳＣＤＭＡ信号が、ＴＤ−ＳＣＤＭＡ  １８８０ＭＨｚ−１９２０ＭＨｚ、ＴＤ−ＳＣＤＭＡ  ２３００ＭＨｚ  −２４００ＭＨｚなどを含み、ＴＤ−ＬＴＥ信号が、ＴＤ−ＬＴＥ  １８８０ＭＨｚ−１９２０ＭＨｚ、ＴＤ−ＬＴＥ  ２３００ＭＨｚ−２４００ＭＨｚなどを含む。
【００３８】
アンテナスイッチ１１２は、アンテナ１１１から送信された信号を受信し、信号の周波数バンドに応じて対応する受信回路フロントエンド１２を選択して信号を処理し、そして基地局信号をプロトコル検出装置１３に送信して信号検出を行うように構成される。
【００３９】
ここで、信号周波数バンドに応じて選択するのは、具体的に、同じまたは近い周波数バンドの信号が同一受信回路フロントエンド１２を選択し、例えば、ＧＳＭ  １８００ＭＨｚ／１９００ＭＨｚ、ＴＤ−ＳＣＤＭＡ  １８８０ＭＨｚ−  １９２０ＭＨｚ、ＴＤ−ＬＴＥ  １８８０ＭＨｚ−１９２０ＭＨｚが同一受信回路フロントエンド１２を採用し、ＴＤ−ＳＣＤＭＡ  ２３００ＭＨｚ−２４００ＭＨｚとＴＤ−ＬＴＥ  ２３００ＭＨｚ−２４００ＭＨｚが、同一受信回路フロントエンド１２を採用し、ＧＳＭ  ８５０ＭＨｚ／９００ＭＨｚが同一受信回路フロントエンド１２を採用することである。
【００４０】
前記受信回路フロントエンド１２は、第１受信回路フロントエンド、第２受信回路フロントエンド、及び第３受信回路フロントエンドを含む。
【００４１】
第１受信回路フロントエンドは、アンテナシステム１１中のアンテナスイッチ１１１から送信された第１周波数バンド信号を受信し、そして信号に対してダウンコンバージョン処理を行い、処理後の信号をＩ／Ｑ復調器１４に送信してＩ／Ｑ復調を行うように構成され、
前記第１周波数バンド信号は、同じまたは近い周波数バンドの信号を指し、例えば、ＧＳＭ  １８００ＭＨｚ／１９００ＭＨｚ、ＴＤ−ＳＣＤＭＡ  １８８０ＭＨｚ−１９２０ＭＨｚ、ＴＤ−ＬＴＥ  １８８０ＭＨｚ−  １９２０ＭＨｚなど。
【００４２】
第２受信回路フロントエンドは、アンテナシステム１１中のアンテナスイッチ１１１から送信された第２周波数バンド信号を受信し、そして信号に対してダウンコンバージョン処理を行い、処理後の信号をＩ／Ｑ復調器１４に送信してＩ／Ｑ復調を行うように構成され、
前記第２周波数バンド信号は、同じまたは近い周波数バンドの信号を指し、例えば、ＴＤ−ＳＣＤＭＡ  ２３００ＭＨｚ−  ２４００ＭＨｚ和ＴＤ−ＬＴＥ  ２３００ＭＨｚ−２４００ＭＨｚなど。
【００４３】
第３受信回路フロントエンドは、アンテナシステム１１中のアンテナスイッチ１１１から送信された第３周波数バンド信号を受信し、そして信号に対してダウンコンバージョン処理を行い、処理後の信号をＩ／Ｑ復調器に送信してＩ／Ｑ復調を行うように構成され、
前記第３周波数バンド信号は、同じまたは近い周波数バンドの信号を指し、例えば、ＧＳＭ  ８５０ＭＨｚ／９００ＭＨｚなど。
【００４４】
ここで、前記信号に対する周波数変換処理は、フィルタ、増幅、ダウンコンバージョン、ＩＦフィルタ、ＩＦ増幅を含み、前記フィルタは、
バンド外信号を濾過することであり、前記増幅は、濾過後の信号を増幅することであり、前記ダウンコンバージョンは、増幅後の信号をＩＦ信号にミキシングすることであり、前記ＩＦフィルタは、ＩＦ信号のバンド外信号を濾過することであり、前記ＩＦ増幅は、濾過後のＩＦ信号を増幅することである。
【００４５】
具体的に、第１受信回路フロントエンドが、１８００ＭＨｚ付近の周波数バンドに対して周波数変換処理を行い、第２受信回路フロントエンドが、２３００ＭＨｚ付近の周波数バンドに対して周波数変換処理を行い、第３受信回路フロントエンドが、９００ＭＨｚ付近の周波数バンドに対して周波数変換処理を行う。
【００４６】
ここで、３種類だけの周波数バンド区分を例とするが、実際の応用において、より少ないまたはより多い周波数バンドの区分がある場合、３つより少ないまたは３つより多い受信回路フロントエンドを採用してよく、例えば、２つ受信回路フロントエンド、４つ受信回路フロントエンド、５つ受信回路フロントエンドなどを採用すること、それぞれ、異なる周波数バンドの信号を処理し、処理過程とモードは全て上記説明と類似する。
【００４７】
実際の応用において、前記アンテナシステム１１中のアンテナ１１１は、アンテナ設備によって実現されることができ、前記アンテナシステム１１中のアンテナスイッチ１１２は、スイッチロジック回路によって実現されることができ、前記受信回路フロントエンド１２は、フィルタ、増幅器、ダウンコンバータ、ＩＦフィルタおよびＩＦ増幅器によって実現されることができ、前記ベースバンドユニット１５は、ベースバンドシステム中のデコーダによって実現されることができ、前記プロトコル検出装置１３は、プロトコル検出ロジック回路によって実現されることができる。
【００４８】
図２は本発明実施形態のマルチモード受信機が受信方法を実現するフローチャートであり、図２に示すように、該方法は、ステップ２０１〜ステップ２０３を含む。
【００４９】
ステップ２０１、受信された基地局信号の周波数バンドに応じて、対応する受信回路フロントエンドを選択する。
【００５０】
ここで、アンテナシステムにより基地局から送信された信号を受信し、信号の周波数バンドに応じて、対応する受信回路フロントエンドを選択し、基地局信号を、選択された受信回路フロントエンドに送信して処理する。
【００５１】
ここで、前記基地局から送信された信号は、任意モード任意周波数バンドの信号であってよく、例えば、ＧＳＭ１８００ＭＨｚ。前記信号周波数バンドに応じて対応する受信回路フロントエンドを選択するのは、同じまたは近い周波数バンドの信号が、同一受信回路フロントエンドを選択し、例えば、ＧＳＭ１８００ＭＨｚが１８００ＭＨｚ付近の周波数バンドの受信回路フロントエンドを選択し、第１受信回路フロントエンドを選択することである。
【００５２】
ステップ２０２、選択された受信回路フロントエンドが、受信された信号に対して周波数変換処理を行い、周波数変換後の信号を出力する。
【００５３】
ここで、前記信号に対する周波数変換処理は、フィルタ、増幅、ダウンコンバージョン、ＩＦフィルタ、ＩＦ増幅を含み、例えば、ＧＳＭ１８００ＭＨｚ。前記フィルタは、１８００ＭＨｚバンド外信号を濾過することであり、前記増幅は、濾過後の信号を増幅することであり、前記ダウンコンバージョンは、増幅後の信号をＩＦ信号にミキシングすることであり、前記ＩＦフィルタは、ＩＦ信号のバンド外信号を濾過することであり、前記ＩＦ増幅は、濾過後のＧＳＭＩＦ信号を増幅することである。
【００５４】
ステップ２０３、周波数変換後の信号に対してＩ／Ｑ復調を行い、復調後の信号をデコード処理を行う。
【００５５】
ここで、前記Ｉ／Ｑ復調は、Ｉ／Ｑ復調器によって完成され、前記デコード処理は、ベースバンドユニットによって完成され、Ｉ／Ｑ復調器が、信号に対してＩ／Ｑ復調を行った後、復調後の信号をベースバンドユニットに送信してデコード処理を行う。
【００５６】
本ステップは、さらに、基地局信号に対して信号検出を行うステップを含み、具体的に、信号基地局側の同期情報に応じて、復調後のＩ／Ｑ信号のために、伝送モードとデコードモードを選択することであり、ここで、基地局側の同期情報は、パイロット信号、モジュレーション、ダウンリンク同期コードなどを含む。
【００５７】
前記信号検出は、プロトコル検出装置によって完成され、且つプロトコル検出装置が選択されたデコードモードをベースバンドユニットに送信する。相応的に、ベースバンドユニットが、対応するＲＩＳＣプロセッサー、ＤＳＰなどデータ処理ユニットを選択して信号に対してデコード処理を行う。
【００５８】
ここで、前記復調後のＩ／Ｑ信号のために、伝送モードを選択するのは、具体的に、同期情報が、例えば、ＧＭＳＫモジュレーション、基地局信号がＧＳＭ信号であると表示する場合、Ｉ／Ｑ復調器にＤｉｇＲＦインターフェスプロトコルの伝送モードを自動的にマッチングさせ、復調後のＩ／Ｑ信号をベースバンドユニット１５に伝送して処理することであり、同期情報が、例えば、ダウンリンク同期コード、基地局信号がＴＤ−ＳＣＤＭＡ信号であると表示する場合、Ｉ／Ｑ復調器に１０ｂｉｔの並列データ伝送モードを自動的にマッチングさせ、復調後のＩ／Ｑ信号をベースバンドユニットに伝送して処理することであり、同期情報が、例えば、ダウンリンク同期コード、基地局信号がＴＤ−ＬＴＥ信号であると表示する場合、Ｉ／Ｑ復調器に１２ｂｉｔの並列データ伝送モードを自動的にマッチングさせ、復調後のＩ／Ｑ信号をベースバンドユニットに伝送して処理することである。
【００５９】
好ましくは、前記復調後のＩ／Ｑ信号のためにデコードモードを選択するのは、具体的に、信号モードに応じて、ベースバンド中で対応するＲＩＳＣプロセッサー、ＤＳＰなどデータ処理ユニットを選択してデコード処理を行うことである。
【００６０】
ここで、前記復調後の信号をベースバンドに送信する前に、さらに、プロトコル検出装置が、検出された伝送モードをＩ／Ｑ復調器に送信し、相応的に、Ｉ／Ｑ復調器が伝送モードに応じて信号をベースバンドに送信し、例えば、ＧＳＭ  １８００ＭＨｚ信号、ＤｉｇＲＦインターフェスプロトコルの伝送モードを自動的にマッチングさせ、復調後のＩ／Ｑ信号をベースバンドに伝送して処理することを含む。
【００６１】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【産業上の利用可能性】
【００６２】
本発明実施形態におけるマルチモード受信機及びその受信方法は、アンテナスイッチをマルチモード受信機中に内蔵し、異なる周波数バンドの信号に応じて、それに対応する受信回路フロントエンドを選択でき、プロトコル検出装置をマルチモード受信機に内蔵し、同一周波数バンド信号のモードを検出でき、それによって、Ｉ／Ｑ復調後の信号のために、対応する伝送モードを提供し、ベースバンドに伝送されたＩ／Ｑ信号のために、対応するデコード処理ユニットを提供し、このように、同一周波数バンドの異なるモードの信号に対して、同一ワンセットの受信回路フロントエンドを利用でき、それによってＲＦチップの数量を減らし、回路設計面積を低減し、コストも削減する。
【符号の説明】
【００６３】
１１・・・アンテナシステム、１２・・・受信回路フロントエンド、１３・・・プロトコル検出装置、１４・・・Ｉ／Ｑ復調器、１５・・・ベースバンドユニット、１１１・・・アンテナ、１１２・・・アンテナスイッチ。
【図１】
2015533463.tif 000003
【図２】
2015533463.tif 000004
【国際調査報告】
2015533463.tif 000005
2015533463.tif 000006
2015533463.tif 000007
2015533463.tif 000008